(57)【要約】【課題】損耗した部品を交換する作業を減らすとともに、金属ストリップの全ての厚みに対して好適な装置と、この装置を作動させる方法を提案する。【解決手段】金属ベルト搬送装置上を移動する金属ストリップ（２）の側方ガイドのための装置は、制御された態様で複数の規定された回転位置へ回転可能な損耗面（１２ａ）を有する少なくとも１つの損耗本体（１２）を備え、損耗面（１２ａ）は略平面であり、すべての規定された回転位置においてガイド平面（１０）に平行である。また、方法は、第１の金属ストリップが金属ストリップ搬送装置を通過した後、かつ第２の金属ストリップが金属ストリップ搬送装置の中に進入する前に、損耗本体（１２）が制御された態様で規定の第１の回転位置から既定の第２の回転位置へ回転し、すべての規定の回転位置において、損耗面（１２ａ）はガイド平面（１０）に平行である。【選択図】図３
2018089701.tif 000002
【特許請求の範囲】
【請求項１】
略鉛直なガイド平面（１０）を有する少なくとも１つの主本体モジュール（７）を備える、金属ストリップ搬送装置の上を流れる金属ストリップ（２）を側方でガイドするための装置であって、
制御された態様で複数の規定された回転位置へ回転可能な損耗面（１２ａ）を有する少なくとも１つの損耗本体（１２）が存在し、前記損耗本体（１２）はディスク状であり、前記損耗面（１２ａ）全体は略平面であるとともにすべての前記規定された回転位置において前記ガイド平面（１０）に平行であることを特徴とする装置。
【請求項２】
前記複数の規定された回転位置へ回転可能な、損耗面（１２ａ）を有する複数の損耗本体（１２）が存在し、これら損耗本体（１２）のうちの少なくとも１つが、他の損耗本体（１２）と独立して回転可能であることを特徴とする請求項１に記載の装置。
【請求項３】
前記複数の規定された回転位置へ回転可能な、損耗面（１２ａ）を有する前記複数の損耗本体（１２）が存在し、これら損耗本体（１２）のうちの少なくとも１つが、他の損耗本体（１２）に従属的に回転可能であることを特徴とする請求項１に記載の装置。
【請求項４】
前記装置は前記少なくとも１つの損耗本体（１２）を備え、該損耗本体に対して、前記損耗本体の損耗面（１２ａ）の前記主本体モジュール（７）の前記ガイド平面（１０）からの間隔が再調整可能であることを特徴とする請求項１〜３のいずれか一項に記載の装置。
【請求項５】
前記少なくとも１つの損耗本体（１２）に対して、該損耗本体の前記損耗面（１２ａ）の前記主本体モジュール（７）の前記ガイド平面（１０）からの間隔が、他の前記損耗本体（１２）に独立して再調整可能であることを特徴とする請求項４に記載の装置。
【請求項６】
前記複数の損耗本体（１２）であって、前記複数の損耗本体に対して、前記複数の損耗本体の前記損耗面（１２ａ）の前記主本体モジュール（７）の前記ガイド平面（１０）からの間隔が再調整可能である前記複数の損耗本体が存在し、前記複数の損耗本体（１２）のうちの少なくとも１つの前記損耗本体の前記間隔が、前記複数の損耗本体（１２）の少なくとも１つの他の前記損耗本体に従属的に再調整可能であることを特徴とする請求項４に記載の装置。
【請求項７】
前記装置は、少なくとも１つの損耗本体ガイドローラー（２２ａ、２２ｂ、２２ｃ、２２ｄ）を有し、該少なくとも１つの損耗本体ガイドローラー（２２ａ、２２ｂ、２２ｃ、２２ｄ）は、前記損耗本体（１２）の前記損耗面（３０）の隙間（２９）又は前記損耗本体（１２）の前記損耗面の開口部（２７）を通って、少なくとも部分的に前記損耗面から突出することを特徴とする請求項１〜６のいずれか一項に記載の装置。
【請求項８】
前記装置は前記少なくとも１つの損耗本体ガイドローラー（２２ａ、２２ｂ、２２ｃ、２２ｄ）を有し、該少なくとも１つの損耗本体ガイドローラー（２２ａ、２２ｂ、２２ｃ、２２ｄ）は、
‐前記金属ストリップが前記損耗本体ガイドローラーによってガイドされることのない、停止位置、及び
‐前記金属ストリップが前記損耗本体ガイドローラーによってガイドされる、ガイド位置のうちの少なくとも１つに対して調整可能であることを特徴とする請求項７に記載の装置。
【請求項９】
前記ガイド位置では、前記損耗本体ガイドローラー（２２ａ、２２ｂ、２２ｃ、２２ｄ）のローラー面は、前記損耗本体（１２）の前記損耗面（３０）の前記隙間（２９）又は前記損耗本体（１２）の前記損耗面（２８）の前記開口部を通って少なくとも部分的に前記損耗面（２８、３０）から突出することを特徴とする請求項８に記載の装置。
【請求項１０】
前記損耗本体は側方で面取りされていることを特徴とする請求項１〜９のいずれか一項に記載の装置。
【請求項１１】
前記少なくとも１つの損耗面が前記金属ストリップをガイドするためのガイドスプラインを有することを特徴とする請求項１〜９のいずれか一項に記載の装置。
【請求項１２】
前記少なくとも１つの損耗本体は、コーティングを有する少なくとも１つの支持材料を有することを特徴とする請求項１〜９のいずれか一項に記載の装置。
【請求項１３】
前記損耗本体は、前記損耗本体が少なくとも２つの同一に作製された前記損耗面を有する側面を備える態様で対称であることを特徴とする請求項１〜９のいずれか一項に記載の装置。
【請求項１４】
前記損耗本体は、前記金属ストリップの登りに対する抵抗を形成するための少なくとも１つのガイド上昇部を有することを特徴とする請求項１〜９のいずれか一項に記載の装置。
【請求項１５】
金属ストリップを側方にガイドするための装置（１）によって、金属ストリップ搬送装置の上を流れる前記金属ストリップ（２）を側方でガイドするための方法であって、
前記装置が、ガイド平面（１０）を有する少なくとも１つの主本体モジュール（７）と、実質的に平面である損耗面（１２ａ）を有する少なくとも１つの損耗本体（１２）と、
を備え、
第１の前記金属ストリップが前記金属ストリップ搬送装置を通過した後、かつ第２の前記金属ストリップが前記金属ストリップ搬送装置の中にランインする前に、前記損耗本体（１２）が制御された態様で規定の第１の回転位置から既定の第２の回転位置へ回転し、  すべての規定の回転位置における前記損耗面（１２ａ）は、前記ガイド平面（１０）に平行であることを特徴とする、方法。
【請求項１６】
前記金属ストリップ（２）の少なくとも１つの側での前記主本体モジュール（７）による、及び任意に前記損耗本体（１２）及び／又は前記損耗本体（１２）の前記損耗面（３０）から、前記損耗面（３０）の隙間（２９）又は前記損耗面（３０）の開口部（２７）を通って、少なくとも部分的に前記損耗面から突出する損耗本体ガイドローラー（２２ａ、２２ｂ、２２ｃ、２２ｄ）による第１の側方ガイド段階の後に、引き続く第２の側方ガイド段階において、前記金属ストリップ（２）の少なくとも一方の側での側方ガイドが、前記損耗本体（１２）によってのみ行われることを特徴とする請求項１５に記載の方法。
【請求項１７】
前記側方ガイドのための装置（１）が、少なくとも１つの損耗本体ガイドローラー（２２ａ、２２ｂ、２２ｃ、２２ｄ）を有し、
前記主本体モジュール（７）及び任意に前記損耗本体（１２）及び／又は前記損耗本体（１２）の前記損耗面（３０）から、前記損耗面（３０）の隙間（２９）又は前記損耗面（３０）の開口部（２７）を通って、少なくとも部分的に前記損耗面から突出する前記損耗本体ガイドローラー（２２ａ、２２ｂ、２２ｃ、２２ｄ）による前記金属ストリップ（２）の少なくとも一方の側での前記第１の側方ガイド段階の後に、引き続く前記第２の側方ガイド段階において、前記金属ストリップ（２）の少なくとも一方の側における側方ガイドが、以下の態様：
‐前記損耗本体ガイドローラー（２２ａ、２２ｂ、２２ｃ、２２ｄ）によってのみ
‐前記損耗本体（１２）及び前記損耗本体ガイドローラー（２２ａ、２２ｂ、２２ｃ、２２ｄ）によって
のうちの１つで行われることを特徴とする請求項１６に記載の方法。
【請求項１８】
前記第１の側方ガイド段階の後に、少なくとも１つの前記損耗本体（１２）及び／又は前記少なくとも１つの主本体モジュール（７）が、前記損耗本体（１２）の前記損耗面（１２ａ）が前記ガイド平面（１０）の外側にある所定の位置に再調整されることを特徴とする請求項１６又は１７に記載の方法。
【請求項１９】
前記第２の側方ガイド段階中に、側方ガイドが、複数の前記損耗本体（１２）によって前記金属ストリップの少なくとも１つの側に行われ、前記第２の側方ガイド段階中に、少なくとも１つの前記損耗本体（１２）が、前記損耗本体（１２）の前記損耗面（１２ａ）と、前記金属ストリップ（２）との間の接触を失いつつ、前記金属ストリップ（２）から再調整されて離れ、前記損耗本体（１２）は次いで、制御された態様で回転軸の回りに回転して規定の新しい回転位置へ回転し、前記損耗本体（１２）は次いで、前記損耗本体（１２）の前記損耗面（１２ａ）と、前記金属ストリップ（２）と、の間の接触を復帰しつつ、前記金属ストリップ（２）に向かって再調整されることを特徴とする請求項１６〜１８のいずれか一項に記載の方法。
【請求項２０】
前記側方ガイド段階中に、損耗本体（１２）による滑動ガイドと、ローラーによる回動ガイドと、を切り替えるステップを備えることを特徴とする請求項１６〜１９のいずれか一項に記載の方法。
【請求項２１】
前記側方ガイド段階中に、前記損耗本体（１２）による滑動ガイドと、ローラーによる回動ガイドと、の両方が同時に行われるステップを備えることを特徴とする請求項１６〜１９のいずれか一項に記載の方法。
【発明の詳細な説明】
【技術分野】
【０００１】
本発明は、実質的に鉛直方向のガイド面を有する少なくとも１つの主本体モジュールを備える、金属ストリップ搬送装置上を移動する金属ストリップを側方でガイドするための装置に関する。
【背景技術】
【０００２】
金属ストリップの製造では、金属ストリップは搬送装置、例えばローラーテーブルによって処理機器、例えば巻き取り装置へ導かれ、そこで金属ストリップは巻き取られる。ここで金属ストリップが側方ガイドの作用を受けることが必要となる。これは特に巻き取りに先立って必要とされ、それによって可能な限りコイル上の個々の巻き取りのオフセットを最小化して、均一な側面を達成する。側方ガイドのための装置は、例えばガイドルーラ又はランインルーラとして参照される。側方ガイドのための装置が作用する移動する金属ストリップの端部は、損耗ストリップ（ガイドルーラ又はランインルーラにそれぞれ縛り付けられている）に、又はその損耗ストリップの損耗面にそれぞれ重度の損耗を生じさせる。特に、比較的薄いストリップの場合には、大きな横方向の力によってガイドされるストリップの端部は、ストリップの全長に沿って損耗ストリップの中に切り込みつつ、スパークを生じる。したがって、生産スケジュールによっては、損耗ストリップの損耗面は週に何度も交換しなければならない。
【０００３】
この作業を減らすために、ガイドルーラの損耗ストリップの全体を常に交換するのではなく、例えば切り込まれるストリップに露出する新しいガイド面に対する損耗ストリップを交換することが知られており、このことは例えば特許文献１に記載されている。ここでは、製造が複雑で高価なガイドルーラは最終的には常に交換されなければならないということが欠点である。さらに、ローラーテーブルと、ガイドルーラとの間のギャップが変更される場合には、このギャップが金属ストリップの通板（ｔｈｒｅａｄｉｎｇ）又は詰まり（ｊａｍｍｉｎｇ）のようなミスガイドをそれぞれ引き起こす場合があるというリスクがある。
【０００４】
この方策の変形において、金属ストリップに面するガイドルーラの内部限界面から突出する、新しい領域を損耗にさらす目的のための領域が設けられることが、特許文献２に提案されている。ここでは、金属ストリップの前端部の通板中に、特に薄いストリップの場合に、ストリップの先頭の先端部が突出する領域で攻撃される（ｓｋｅｗｅｒｅｄ）場合があり、したがって金属ストリップは損傷を受ける。
【０００５】
ローラーテーブルローラー間の薄い金属ストリップの通板を避けるために、ローラーテーブルのローラーの軸方向の間隔は通常は可能な限り最小化され、これは、突出領域が非常に狭く、したがって個々の突出領域のガイド長さは非常に短いからである。先頭ストリップの通板を避け、ストリップの既に圧延された下面を損傷しないように、ローラーテーブルのローラーの間隔を増加させるとともにガイド長を増加させる中間テーブルは、通常は避けられる。
【０００６】
特許文献３では、搬送方向に対して所定の角度で配置されている複数のガイドディスクが、ガイドのために設けられている。新しい領域は、これらガイドディスクを回転することによって損耗にさらすことができる。
【０００７】
ノッチが切り込まれるのを避けるための１つの既知の方法は、金属ストリップに面するガイドルーラの内部限界面から突出するように、金属ストリップの進行方向に対して垂直な軸の回りに回転可能であるローラーを提供する。そのようなガイドローラーの逃げ部（ｒｏｌｌｉｎｇ  ｏｆｆ）は、ガイドローラーの損耗を軽減し、連続的なノッチが生成されるのを許容しない。しかし、そのようなローラーが金属ストリップの横方向のガイドのために使用されるときには、金属ストリップの端部が薄くなるにつれてガイドローラーによって損傷されるというリスクが増加し、したがってそのようなガイドルーラを採用することは、限定された厚みの金属ストリップに対してのみ可能である。さらに、ここでもまた、先頭のストリップ端部の縁部は、突出するガイドローラー状で攻撃される場合がある。
【０００８】
金属ストリップに対する損傷を回避するために、引用文献４は、「サイドガイド」におけるガイドのために「傘状ロール」の使用を提案しており、この傘状ロールは、液体の流れの方法によって一定の回転動作を保持している。
【先行技術文献】
【特許文献】
【０００９】
【特許文献１】独国特許第１４２７９２３号明細書
【特許文献２】独国特許第６９４０８３３２号明細書
【特許文献３】米国特許第２８１８９５４号明細書
【特許文献４】特開平５‐１６１９１７号公報
【発明の概要】
【発明が解決しようとする課題】
【００１０】
本発明の目的は、上述した欠点を有することなく、損耗した部品を交換する作業を減らすとともに、金属ストリップの全ての厚みに対して好適な装置と、この装置を作動させる方法を提案することである。
【課題を解決するための手段】
【００１１】
この目的は、金属ストリップ搬送装置上を流れる金属ストリップを側方でガイドするための装置によって達成され、この装置は、略鉛直方向のガイド面を有する少なくとも１つの主本体モジュールを備え、損耗面を有する少なくとも１つの損耗本体であって、制御された態様では、複数の確定された回転位置（ｒｏｔａｒｙ  ｐｏｓｉｔｉｏｎｓ）に対して回転可能である損耗本体が存在し、損耗面は略平面であって、すべての規定された回転位置において、ガイド面に平行であることを特徴とする。
【００１２】
金属ストリップ搬送装置は、例えばローラーテーブル、例えばストリップコイル巻き取りプラントのローラーテーブルである。金属ストリップ搬送装置の搬送面は、典型的には実質的に水平になるように位置合わせされている。
【００１３】
金属ストリップは、例えば鋼ストリップ又はアルミニウムストリップである。
【００１４】
ガイド面を有する主本体モジュールは、いわゆるガイドルーラ又は例えばランインルーラであり、金属ストリップをガイドするために好適な面であるガイド面を有する。ガイド面は、例えばサポート本体に固定された損耗プレート（又は複数の損耗プレート）によって形成することができ、サポート本体及び損耗プレートは次いで、主本体モジュールを共同で形成する。
【００１５】
側方ガイドのための装置は、主本体モジュール又は複数の主本体モジュール、例えば２つの主本体モジュールを備えることができ、一方が金属ストリップのいずれかの側部でガイドする。
【００１６】
ガイド面は、金属ストリップの側部に接触する手段によって金属ストリップの側方ガイドに役立つ。前記ガイド面は、前方への方向における金属ストリップの移動の自由度を定め、それによって金属ストリップが側方にガイドされる。
【００１７】
ガイド面は、実質的に鉛直であるように位置合わせされる。
【００１８】
主本体モジュールに加え、側方ガイドのための装置もまた追加的に、損耗面を有する少なくとも１つの損耗本体を備える。
【００１９】
損耗本体は、金属ストリップをガイドする結果として損耗を、特に損耗面として参照される領域に受ける本体である。
【００２０】
損耗本体は、主本体モジュールとは異なる部品であるが、主本体モジュールに挿入することができるか、又は主本体モジュールに固定することができる。
【００２１】
損耗本体は少なくとも１つの損耗面を含み、この損耗面は、金属ストリップをガイドするときに金属ストリップに面し、金属ストリップを側方にガイドする過程で金属ストリップに接触することによって損耗する。
【００２２】
金属ストリップは、ガイドされるべき熱間圧延された鋼ストリップの場合には例えば６００℃程度の温度かつ約６０ｋｍ／ｈの速度で損耗本体に切り込み、これは、損耗本体に切り込む外形（ｃｏｎｔｏｕｒｓ）が金属ストリップのためのガイド効果を増加させるので、基本的に望ましい効果である。１つの変形体によれば、損耗本体の材料、又は少なくともその損耗面は、硬度の点からみると、一方ではガイドを改善する外形のカットインが容易化されるように、そして他方では交換の間隔が許容できるレベルに維持されるように、選択することができる。
【００２３】
一実施形態によれば、少なくとも１つの損耗本体は、コーティングを有する少なくとも１つのサポート材料を有する。
【００２４】
例えば、サポート材料は、例えばサポート材料よりも損耗に対して耐性を有する材料で表面コート、例えばセラミックコート、紛体塗装、ラミネート加工することができる。プレートもまた、例えば材料によってサポートに取り付ける、ネジで止めることができ、このプレートは任意にはサポート材料とは異なる材料である。
【００２５】
サポート材料のコーティング、例えば表面コーティングは、異なる材料の複数の層から構成することができる。例えば、ガイドスプラインの構成を容易化するために、金属ストリップの切り込みを容易化するように外層を比較的柔らかくすることができ、このガイドスプラインの外層とサポート材料との間にある層を比較的硬くして、限度より深くまでのカットインを妨げることができる。
【００２６】
その使用に応じたコーティング、例えば表面コーティングは、損耗本体の全体に亘って同一でもよく、又は部分（ｓｅｇｍｅｎｔ）で異なっていてもよい。一実施形態によれば、損耗本体は、一方の面が損耗した後の損耗本体が単に裏返されて、同一の仕様の反対側が金属ストリップに面して損耗されるように対称とされている。
【００２７】
損耗されていない状態の損耗面は、実質的に平面である。これは、損耗本体が損耗面において初めから、すなわち試運転の前、かつ損耗していない新しい状態において、金属ストリップをガイドするためのガイド外形を有することができ、金属ストリップのその中への切り込みが作動中にはより深くなることを意味している。しかし、損耗していない状態における損耗面は、好ましくはそのようなガイド外形を有することなく平面態様に具現化されている。
【００２８】
損耗面は、損耗本体の、作動中に金属ストリップをガイドするために設けられた領域である。勿論、いわゆる損耗本体もまた、例えばローラーテーブルのパスラインからの、又はローラーテーブルのローラーの上端によって形成された平面からの距離それぞれの理由で、作動中に金属ストリップと接触しない領域を有することができる。
【００２９】
損耗本体は、円形又は他の外形を有する。この損耗本体もまた、スポークを有する車輪状に構成することができ、車輪のリムが損耗面を含むか、又は損耗面それぞれを形成し、スポークがリムを回転軸に固定する。
【００３０】
損耗本体もまた側方に面取りされて、損耗本体がディスク状である場合に金属ストリップが損耗本体の周縁で、すなわち例えばディスクの側面と主面との間で攻撃される（ｓｋｅｗｅｒｅｄ）リスクを回避する。
【００３１】
損耗本体、好ましくは損耗面の外側はガイド上昇部（ｇｕｉｄｅ  ｅｌｅｖａｔｉｏｎｓ）を有することができる。実際に、金属ストリップが損耗本体を登る傾向を有する場合がある、すなわち前記金属ストリップの間隔が損耗本体の再下端から増加することが実証された。そのような望ましくない登りを避けるために、登りを防止し、損耗本体に設けられた損耗面から離間し、かつ任意に金属ストリップを下方に押すガイド上昇部を、これもまた損耗本体に設けることができる。
【００３２】
そのようなガイド上昇部は、例えば複数の、損耗面を有する１つの平面にある損耗本体の面上の小さな上昇部、すなわち平面上の互いから離間した個々の上昇部とすることができる。若しくは損耗本体は、損耗面の平面に対して上昇部が損耗面に隣接する損耗面の周縁部に設けられ、この上昇部は周縁部全体に存在するか、又は中断部を有するか、すなわち周縁状の部分的にしか存在しないか、のいずれかである。ここで、上昇部は好ましくは、上昇部が損耗面の平面から一定の高さまで急に上昇しないような態様で具現化されるが、前記上昇部の高さは、損耗面の周縁からの間隔が増加するにつれて増加し、これはランアップスロープと参照される。
【００３３】
ガイド上昇部、特にそのようなランアップスロープは、作動中には金属ストリップのための側方空間を収縮させる。収縮は金属ストリップの登りに対向する抵抗力を提供する。
【００３４】
制御された態様にある損耗本体は、複数の規定された回転位置へ回転可能である。すなわち、前記損耗本体は、少なくとも２つの規定の回転位置を取り、これら２つの位置の間でオペレータは目標とされた態様で回転を選択し、対応して制御された態様で回転を制御し及び／又は調整する。
【００３５】
複数の損耗本体が好ましくは存在する。それらによって、ガイドが損耗本体による増加限度まで行われる。
【００３６】
全ての損耗本体は、好ましくは本発明に従って具現化される。それによって、最大の利益が、本発明による装置に関連する利点から生じる。
【発明の効果】
【００３７】
搬送方向に対して所定の角度で配置されたガイドディスクを有する特許文献３との比較において、本発明による装置は、実質的に平面であるとともに、ガイド平面に平行である損耗面によって、金属ストリップのためのより長いガイド長さが与えられるのを可能にする。その理由によって、比較的低い軸受圧力が生成され、それは一方で金属ストリップの端部への損傷の小さいリスクを意味し、したがってより薄いストリップを取り扱う能力を意味する。他方で、その理由によって損耗本体へのより小さな損耗しか生じず、長くされた寿命又は交換に関する低い要求をそれぞれもたらし、実際には、６倍長い交換間隔がそれによって結果的に得られる。
【００３８】
回転するローラーを有する特許文献４とは逆に、本発明による既定の回転位置を前提とすることは、金属ストリップが損耗本体中に切り込むということによって改善されたガイド機能をもたらすとともに、様々な領域に亘って損耗の改善された分散をもたらす。そのため、例えば、比較的薄い金属ストリップを取り扱うことができる。
【００３９】
損耗本体は好ましくは交換可能であり、それによってこれら構成部品は過剰な損耗の場合に容易に交換することができる。主本体モジュールの交換、又は例えば損耗プレートのような主本体モジュールの部品の交換は、相対的により複雑であり、よりまれにしか必要とされない。これは、側方ガイドのための装置を維持するための労力及びコストに関して節約となる。
【００４０】
一実施形態によれば、複数の規定の回転位置へ回転可能な、損耗面を有する複数の損耗本体が存在し、これら損耗本体のうちの少なくとも１つは、他の損耗本体とは独立して回転可能である。そのため、個々の損耗本体上の損耗の程度を、新しい領域に露出するときに考慮することができ、回転を必要に応じて個々の態様で行うことができる。これは、損耗してしまった損耗本体を新しくするための労力をさらに低下させることができる。
【００４１】
一実施形態によれば、複数の規定の回転位置へ回転可能な、損耗面を有する複数の損耗本体が存在し、これら損耗本体のうちの少なくとも１つは、他の損耗本体のうちの少なくとも１つに従属して回転可能である。そのため、少なくとも２つの損耗本体のグループへの損耗の程度を、新しい領域に露出させるときに考慮することができ、そのようなグループは、必要に応じて回転させることができ、これは、損耗してしまった損耗本体を新しくするための労力をさらに低下させることができる。
【００４２】
損耗本体は、回転軸の回りに回転可能である。一旦、損耗本体の損耗面の領域の損耗が許容範囲を超えると、損耗本体は制御された態様で回転軸の回りに回転させられ、それによって、今のところ未使用の領域が金属ストリップの端部に面するように回転され、金属ストリップによって損耗される。損耗面又は損耗本体それぞれを交換するための要求は、新しい領域及び今のところ損耗していない領域が、金属ストリップの端部に面するように回転されるので、繰り返される制御された回転によって遅らせることができる。
【００４３】
回転軸の方向に見たときに、損耗本体の周縁に関して損耗本体は好ましくは実質的に軸対称であり、特に好ましくは回転対称である。ここでは、これは、損耗本体が損耗本体の周縁に隙間を有し、この隙間が断面でこのタイプの周縁を遮断するということを包含する。
【００４４】
これは、回転対称な損耗本体の場合には、３６０／ｎ度だけの回転の場合に利点を有し、ここでｎは、回転対称の総数であり、金属ストリップと損耗面との間の接触という意味では、損耗本体による側方ガイドの程度は、損耗本体が、最初の位置から開始して約３６０／ｎ度を回転したかどうか、及びどの程度頻繁に３６０／ｎ度を回転したかによって、実質的に影響は受けず、ガイドがそれに沿って行われる長さ、すなわちガイド長さは、常に同一に維持されている。
【００４５】
回転対称な損耗本体の場合には、これは、対応する態様で、回転角度とは独立してさえ適用される。
【００４６】
損耗本体は特に非常に好ましくは丸いディスクであり、そのベース領域は損耗本体の損耗面を形成し、その丸いディスクは損耗本体の損耗面に対して垂直な回転軸の回りに回転可能であり、回転軸は丸いディスクの中心にある。この場合、損耗本体は回転軸に対して回転対称である。このように、金属ストリップは常に、損耗面によって同一の長さに沿って、損耗本体が配置されている回転位置とは独立して、すなわち前記損耗本体が最初の位置から始めて何度回転したかに独立して、ガイドされる。金属ストリップと損耗面との間の接触という意味では、損耗本体による側方ガイドの程度は、損耗本体が、最初の位置から開始してどれだけ回転したかによって、実質的に影響は受けない状態に維持される。勿論、それに沿って金属ストリップが損耗本体によってガイドされる長さは、他の要因のためにわずかに変化する、例えば前記長さは、金属ストリップがたまたま損耗面の既存の切り込み内を流れるかどうかによってわずかに変化する場合があり、そのせいで前記金属ストリップはわずかに変化した流れ方向に強いられる。
【００４７】
また、損耗本体は他の形状、例えば丸いディスクよりむしろ、多角形状のディスク、例えば五角形のディスクの形状を有することができる。
【００４８】
好ましい一実施形態によれば、少なくとも１つの損耗本体は、少なくとも１つの主本体モジュールの隙間（ｃｌｅａｒａｎｃｅ）中で自由に配置することができる（ｄｉｓｐｏｓａｂｌｅ）。少なくとも１つの損耗本体が少なくとも１つの主本体モジュールの隙間に配置されているときには、例えば損耗本体の損耗面が主本体モジュールのガイド平面を超えて突出することはないが、少なくとも部分的にガイド平面内にある場合には、金属ストリップの主本体モジュール及び損耗本体による同時のガイドを行うことが可能である。これは、本発明に従って必要とされるような、損耗面が実質的に平面であるとともにガイド平面に平行である場合であり、ガイド平面に平行であることもまた、ガイド平面と同じ平面内にあることを包含するからである。又は、損耗本体の損耗面が主本体モジュールのガイド平面を超えて突出することはなく、ガイド平面内にあることもないが、主本体モジュールのガイド平面よりも金属ストリップから大きな距離にあるとき、及び特に金属ストリップが主本体モジュールに、前記金属ストリップがまた損耗面に接触するようになり、損耗面によってガイドされるように、切り込む場合である。
【００４９】
隙間は好ましくは丸い。このことは、前記損耗本体の回転軸に対して隙間が軸対称であるか、又は回転対称である時に、この隙間に配置されている損耗本体の簡単な回転を可能にする。
【００５０】
隙間が主本体モジュールによって完全に取り囲まれてはいないときには、この実施形態における主本体モジュール中の隙間の周縁は、円の一部に従う。
【００５１】
隙間はまた、他の形状を有することができる。
【００５２】
損耗本体、及び任意に隙間は、ローラーテーブルの上端の下に沈み込むその一部ができるだけ大きくなるように配置される。
【００５３】
金属ストリップは、ローラーテーブルの上端に沿って実質的に流れ、ローラーテーブルの上端の下に沈み込む損耗本体、特に回転対称な損耗本体であって、特に損耗本体としての丸いディスクの部分が大きいほど、金属ストリップにガイドとして損耗本体によって提供される長さは大きくなり、より良好なガイドを生じさせる。
【００５４】
したがって、丸い損耗本体で、金属ストリップ搬送装置としてローラーテーブルローラーを有するローラーテーブルの場合には、回転可能な損耗本体に対する回転軸が、ローラーテーブルローラーの回転軸間の中心上にあることが好ましい。この結果、そのような場合の損耗本体が、回転軸がローラーテーブルローラー間の中心に対して側方にオフセットする場合よりローラーテーブルローラー間の中間空間に深く沈む込むことができるので、最大ガイド長さの実施がそれぞれのローラーテーブルにおけるそれぞれの損耗本体に対して可能となる。
【００５５】
丸い隙間の中の損耗本体が丸いディスクとして具現化され、この丸いディスクのベース領域が損耗本体の損耗面を形成し、丸いディスクがその損耗面に垂直な回転軸の回りに回転可能であり、この回転軸が円いディスクの中心にある実施形態が特に好ましく、損耗本体は、ぴったりフィットした状態で隙間の中に好ましく配置され、勿論、回転の動きを可能にするように小さいギャップを有している。結果として、先頭のスリップ端部の縁部が損耗本体と、ガイド平面と、の間のギャップ上で攻撃されるというリスクしかなく、損耗本体を回転することは、損耗本体のさらなる動きの必要性なく行うことができる。隙間にぴったりフィットした多角形状のディスクとして具現化された損耗本体の場合には、損耗本体を回転させることは、例えば損耗本体がガイド平面から一旦出て、回転後の前記多角形状のディスクがガイド平面の中に戻らなければならない場合にしか可能ではない。これは時間がかかり、好適な駆動ユニットを必要とする。隙間にぴったりフィットした多角形状のディスクの場合には、実践的には、損耗本体の不注意による回転に対する保護手段があること、すなわち規定された回転位置が隙間の形状によって規定されていることが有利である。
【００５６】
隙間がそのような外側へ／内側への動きなしに回転を可能にする場合、十分に大きなギャップが隙間の周縁と、多角形状のディスクと、の間に存在しなければならない。これは、先頭のストリップ端部の角部がそのようなギャップ上で攻撃される場合があるという欠点を有する。
【００５７】
一実施形態によれば、本発明による装置は、少なくとも１つの損耗本体を備え、この損耗本体に対しては、この損耗本体の損耗面の主本体モジュールのガイド平面からの間隔が再調整可能である。このように、損耗本体又は主本体モジュールは、ガイドされる金属ストリップからの間隔に関して、様々な位置で調整することができる。例えば、損耗本体が金属ストリップに接触する場合には、損耗本体の損耗面の主本体モジュールのガイド平面からの間隔は変えることができ、例えば、主本体モジュールが金属ストリップから離れるように移動する。また別の変形体においては、損耗本体は金属ストリップの方向に、損耗本体の損耗面の主本体モジュールのガイド平面からの間隔が、例えば損耗本体が金属ストリップと接触するまで増加するように動かされ、ここで、金属ストリップに対する移動の側方自由度がさらにもっと減る。
【００５８】
いわゆるガイド位置においては、少なくとも損耗本体の一部分は主本体モジュールのガイド平面の外側に、特にガイドされる金属ストリップの端部の方向にある。前記部分は、したがって主本体モジュールよりも、ガイドされる金属ストリップの近くに配置されており、その結果として金属ストリップの側方ガイドは主に損耗本体のこの部分又は損耗本体の損耗面によってそれぞれ行われるのであって、主本体モジュールのガイド平面によって行われるのではない。このように、高価であるとともに作成が複雑である主本体モジュールは非常に少ない程度にしか損耗せず、先頭のストリップの端部のランインから離間しており、前記主本体モジュールはほとんど全く損耗しない傾向にある。
【００５９】
例えば、損耗本体をガイド位置に設定することができ、結果として前記先頭ストリップの端部の角部が攻撃されるリスクがもはやないので、ガイド位置において損耗本体は、金属ストリップの先頭ストリップの端部が側方ガイドのための装置を通過するとすぐに、ストリップの独占的なガイドを担う。結果として、高価な主本体モジュールの損耗は大幅に減少し、代わりに、本発明に従って、コスト効率の良い態様で製造可能である損耗本体が損耗する。
【００６０】
先頭ストリップ端部のランイン中に、ガイド位置にある損耗本体の場合に、先頭のストリップ端部の角部がこれら損耗本体上で攻撃されるリスクがある。そのような段階に対して、損耗本体は、例えば主本体モジュールの隙間の中に引っ込むことによって、ガイド平面からもはや突出しないように再調整することができ、したがってもはや先頭の端部がその角部によってガイド平面からの上昇部上で攻撃されるリスクはない。
【００６１】
いわゆる主本体位置において、損耗本体は金属ストリップの側方ガイドを、任意には主本体モジュールのガイド平面と協働で専ら担うことができる。この場合の金属ストリップは、主本体モジュールのガイド平面並びに損耗本体の損耗面の両方を損耗させる。
【００６２】
例えば、損耗本体は、損耗本体が、再調整装置それぞれによってガイド平面の外へ、ガイド平面に垂直な動きによって押し出されることによって再調整することができる。垂直な態様で移動させられると、ガイド位置における損耗面全体はガイド平面の外側に存在し、損耗面の全ての点がガイド平面へ等距離となり、金属ストリップによる均一な損耗を容易化する。
【００６３】
ガイド平面に垂直な態様で行われる移動は、例えば、損耗本体が円いディスクであり、そのベース領域が損耗本体の損耗面を形成し、損耗本体がその損耗面に垂直な軸の回りに回転可能であるときに特に好ましく、この回転軸は、丸いディスクの中心にある。ここで移動は、これもまたガイド平面に垂直な回転軸の方向に行われる。このタイプの実施形態は、特に構成するのがたやすい。
【００６４】
その特別な実施形態によれば、少なくとも１つの損耗本体のために、損耗本体の損耗面の、主本体モジュールのガイド平面からの間隔は他の損耗本体とは独立して再調整可能である。
【００６５】
その理由で、側方ガイドを提供する損耗本体の数を、例えば、ガイドされる金属ストリップの要求に依存して変化させることができる。そのため、特定の考慮を、目標とされた態様で、ガイド平面による、又は装置の特定の領域にある損耗本体によるガイドに対する要求に与えることができ、損耗本体それぞれに対する個々の再調整をそのような領域で行うことができる。このように、損耗本体の必ずしも必要とされるわけではない損耗を軽減させることができ、したがって必要とされる保守作業は最小化される。
【００６６】
全ての損耗本体は好ましくはこのように具現化される。
【００６７】
そのまた別の実施形態によれば、その損耗面の、主本体モジュールのガイド平面からの間隔が再調整可能である複数の損耗本体が存在し、これら損耗本体のうちの少なくとも１つの前記間隔はこれら損耗本体のうちの他の少なくとも１つに従属的に再調整可能である。
【００６８】
この理由で、目標とされた態様で、ガイド平面による、又は装置の特定の領域にある損耗本体によるガイドに対する要求に対して考慮することができ、その要求は損耗本体のグループに亘って広がり、そのようなグループのための再調整は要求に従って実行することができる。これは、損耗した損耗本体を新しくする作業をさらに少なくすることができ、作動を簡単化し、相互に独立した再調整可能性と比べてより少ない構成の複雑さしか必要としない。
【００６９】
好ましくは、これら損耗本体の全ては、これら損耗本体の少なくとも１つの他の損耗本体に従属的に再調整可能である、すなわちすべての損耗本体は結合した態様で再調整可能である。
【００７０】
好ましくは、その損耗面の主本体モジュールのガイド平面からの間隔が再調整可能である少なくとも１つの損耗本体は、ストリップが流れている間は再調整可能である。
【００７１】
好ましい一実施形態によれば、装置は少なくとも１つの損耗本体ガイドローラーを有し、この損耗本体ガイドローラーは、損耗本体の損耗面の隙間又は損耗本体の損耗面の開口部を通じてガイドされ、少なくとも部分的にこの損耗面から突出する。
【００７２】
損耗面の開口部は、損耗面の穴として理解され、損耗面によって完全に取り囲まれている。対照的に、損耗面の隙間は損耗面によって完全には取り囲まれていない。
【００７３】
したがって、ガイドローラーによる側方ガイドの利点は、本発明による装置に必要に応じて使用することができ、これがもはや望まれないか又は必要ではない場合、例えば５ｍｍ迄の厚みを有する薄い金属ストリップの場合には、側方ガイドはここでもまた損耗面によって設けることができる。
【００７４】
したがって、損耗面ガイドローラーの提供は、選択を損耗本体ガイドローラーによるガイドと、損耗本体によるガイドとの間で、ガイドされる金属ストリップの厚みに応じて行うことができるという利点を有する。若しくは、選択は、損耗本体ガイドローラーによるガイドと、損耗本体によるガイドと、の間で、先頭のストリップ端部の角部が攻撃されるか、又は金属ストリップの端部が損傷されるかのリスクがあるかどうかに応じて行うことができる。
【００７５】
好ましい一実施形態によれば、装置は少なくとも１つの損耗本体ガイドローラーを有し、この損耗本体ガイドローラーは、
‐少なくとも１つの停止位置、及び
‐少なくとも１つのガイド位置
に調整可能である。
【００７６】
いわゆるガイド位置では、損耗本体ガイドローラーは、金属ストリップ搬送装置の上を流れる金属ストリップを側方でガイドするために好適である。いわゆる停止位置では、前記損耗本体ガイドローラーは、そのためには好適ではなく、金属ストリップは損耗本体及び／又はガイド平面によってガイドされる。
【００７７】
一実施形態によれば、損耗本体ガイドローラーは、損耗本体に又はその上に固定されており、好ましくは、前記損耗本体ガイドローラーはここでは、損耗本体を停止位置又はガイド位置に回転させることによって調整可能である。
【００７８】
また、損耗本体ガイドローラーも主本体モジュール若しくは装置の他の部分、又は隣接する装置に固定することができる。
【００７９】
好ましい一実施形態によれば、ガイド位置では損耗本体ガイドローラーのローラー面が、損耗本体の損耗面の隙間、若しくは損耗本体の損耗面の開口部を通じてガイドされるか、又は少なくとも部分的にこの損耗面から突出する。
【００８０】
一つの変形体によれば、停止位置では損耗本体ガイドローラーはここでは、ガイドされる金属ストリップの端部から見ると損耗面の方向に損耗面を超えて存在する。損耗本体ガイドローラーのローラー面が、損耗面の方向に見たときに、損耗面を超えて存在する、又は言い換えると損耗面の下に存在するとき、前記ローラー表面は、側方ガイドには貢献しない。ガイド位置では、損耗本体ガイドローラーのローラー面は、損耗面から離れて主本体モジュールのガイド平面の方向に見るとき、又は言い換えるとガイドされる金属ストリップの端部に向かって見るときに、少なくとも部分的に損耗面から突出する。結果として、金属ストリップは主に損耗本体ガイドローラーに接触するようになり、損耗面の代わりに主に損耗本体ガイドローラーによってガイドされる。
【００８１】
ここでは損耗面ガイドローラーの回転軸は、損耗本体ガイドローラーが、金属ストリップと接触することによって回転動作に入るように、好ましくは存在する。これは、接触時に（ｕｐｏｎ  ｃｏｎｔａｃｔ）金属ストリップから損耗本体ガイドローラーに移送されたエネルギーの少なくとも一部が、損耗の兆候に向かって貢献する代わりに、ローラーの回転動作に変換されるので、損耗本体ガイドローラーの少ない損耗に貢献する。ここで、損耗本体ガイドローラーの回転軸は、好ましくは金属ストリップの流れ方向に実質的に垂直である。
【００８２】
損耗本体ガイドローラーはここでは、停止位置からガイド位置へ調整することができ、及び移動する、折り畳む又は伸ばす、若しくは枢動させることによって、そこから元に戻す（ｒｅｖｅｒｓｅｄ）ことができる。
【００８３】
また別の変形体によれば、損耗本体ガイドローラーのローラー面は、ここでは損耗面から金属ストリップの方向に見たときに停止位置及びガイド位置の両方において少なくとも部分的に損耗面から突出している。損耗面の開口部又は隙間の位置、及びこの開口部又は隙間から突出する損耗面ガイドローラーの位置は、損耗本体を枢動させることによって変化する。したがって、ガイド位置は、損耗本体を、ガイドされる金属ストリップが損耗本体ガイドローラーと接触するようになるであろう位置に枢動することによって調整することができ、それによって金属ストリップがガイドされる。損耗本体によるガイドと、損耗本体ガイドローラーによるガイドと、の間の選択は、このように容易に行うことができる。ガイド位置においては、損耗本体ガイドローラーの回転軸は、好ましくは損耗本体ガイドローラーが金属ストリップとの接触によって回転するように存在する。これは、接触時に金属ストリップから損耗本体ガイドローラーに移送されたエネルギーの少なくとも一部が、損耗の兆候に向かって貢献する代わりに、ローラーの回転動作に変換されるので、損耗本体ガイドローラーの少ない損耗に役立つ。ここで、損耗本体ガイドローラーの回転軸は、好ましくは金属ストリップの流れ方向に実質的に垂直である。
【００８４】
停止位置において、損耗本体又は損耗面の開口部のそれぞれは、損耗面から突出する損耗本体ガイドローラーがガイドされる金属ストリップに接触しないように配置され、金属ストリップのガイドは損耗本体によって行われる。
【００８５】
したがって、損耗本体ガイドローラーによる側方ガイドの利点が、損耗本体ガイドローラーを調整することによって本発明による装置に必要とされる場合、及びこれがもはや望まれないか、又は必要とされない場合に使用することができる、例えば５ｍｍまでの厚みを有する薄い金属ストリップの場合には、側方ガイドは、損耗本体ガイドローラーを停止位置に調整することによって、ここでもまた損耗面によって提供することができる。
【００８６】
したがって、損耗面ガイドローラーの提供は、選択を損耗本体ガイドローラーによるガイドと、損耗本体によるガイドとの間で、ガイドされる金属ストリップの厚みに応じて行うことができるという利点を有する。若しくは、選択は、損耗本体ガイドローラーによるガイドと、損耗本体によるガイドとの間で、先頭のストリップ端部の角部が攻撃されるか、又は金属ストリップの端部が損傷されるかのリスクがあるかどうかに応じて行うことができる。
【００８７】
例えば、厚い、例えば５ｍｍ以上の厚みを有する金属ストリップの場合には、先頭のストリップのストリップ端部の全てが突出するローラーによって損傷するリスクは非常にわずかであるか、又は全く無い。したがって、厚い金属ストリップの場合には、損耗本体ガイドローラーは、金属ストリップがランインする前にガイド位置にもたらされる。
【００８８】
同様に、損耗本体ガイドローラー及びこの損耗本体ガイドローラーの上流又は下流にある損耗本体による金属ストリップのガイドの組み合わせが可能である。
【００８９】
本出願のさらなる主題は、金属ストリップを側方にガイドするための装置によって、金属ストリップ搬送装置の上を流れる金属ストリップを側方にガイドするための方法であり、この装置は、ガイド平面と、実質的に平面な損耗面を有する少なくとも１つの損耗本体と、を有する少なくとも１つの主本体モジュールを備え、第１の金属ストリップが金属ストリップ搬送装置を通過した後、かつ第２の金属ストリップが金属ストリップ搬送装置の中にランインする前に、損耗本体が制御された態様で規定された第１の回転位置から規定された第２の回転位置へ回転され、すべての規定された回転位置にある前記損耗面は、ガイド平面に平行であることを特徴とする。
【００９０】
２つ以上の規定された回転位置がある。第１の回転位置及び第２の規定された回転位置との用語は、これらが２つの異なる回転位置であることを意味するにすぎない。この明細書では、これは、２つの回転位置しか有さないということを意味するものではない。
【００９１】
第１の金属ストリップ及び第２の金属ストリップは、２つの異なる金属ストリップがあることを単に意味する。この明細書では、これは、２つの金属ストリップしか有さないということを意味するものではない。この明細書では、これは、回転が２つの連続した金属ストリップ間で常に行われることを意味するものではなく、回転は、一旦金属ストリップが装置を通過すると、さらなる金属ストリップが装置を通過するのに先立って、回転が再度行われるのに先立って一度だけ行われ、複数のさらなる金属ストリップが前記さらなる金属ストリップに続くことができる。
【００９２】
例えば、第１の１０枚の金属ストリップが最初に装置を通過し、次いで回転が、さらなる１０枚の金属ストリップのグループの最初の金属ストリップとしての１１枚目の金属ストリップが装置を通過するのに先立って行われる。１１枚目の金属ストリップから２０枚目の金属ストリップが装置を通過している間には、回転は行われない。
【００９３】
このように、損耗本体の未使用の領域を、規定された態様で損耗に露出させることができ、ガイド長さは好ましくは損耗面の変えられた方向によって変えられる。
【００９４】
一実施形態によれば、その方法は、金属ストリップの少なくとも１つの側面での主本体モジュールによる、及び任意に損耗本体及び／又は損耗本体ガイドローラーによる第１の側方ガイド段階の後に、引き続く第２の側方ガイド段階において、金属ストリップの少なくとも一方の側面での側方ガイドが、損耗本体によってのみ行われる
【００９５】
また、金属ストリップを側方にガイドするための装置は、任意に少なくとも１つの損耗本体ガイドローラーをも備える。
【００９６】
ここで、第２の側方ガイド段階における損耗本体のみによる側方ガイドの場合には、１つの損耗本体又は複数の損耗本体を側方でガイドすることができる。
【００９７】
側方ガイドの第１の段階はここでは、第１のガイド段階と参照される。側方ガイドの第２の段階はここでは、第２のガイド段階と参照される。
【００９８】
既に記載したように、例えば先頭のストリップの端部のランインにおける、ガイドされる金属ストリップに対する側方ガイドの段階があり、そこでは金属ストリップがガイド平面によって、ガイド平面から突出する上昇部無しにガイドされることが有利である。これはガイド平面上に損耗を引き起こす。そのような段階では、主本体位置における損耗本体、すなわち損耗本体がガイド平面上に上昇部を形成しない位置における損耗本体はまた、任意に金属ストリップの側方ガイドを、主本体モジュールのガイド平面とともに共同で担うことができる。この場合、金属ストリップは、主本体モジュールのガイド平面及び損耗本体の損耗面の両方を損耗させる。
【００９９】
それぞれの金属ストリップのためのそのような側方ガイドに対する必要性が一旦経過する、例えば、先頭のストリップの端部が本発明による装置の領域を去ってしまうと、ガイド平面の損耗が、金属ストリップの大部分に対するガイドが損耗本体によってのみ行われる本発明に従って回避される。
【０１００】
これは、本発明による装置によって、損耗面の、主本体モジュールのガイド平面からの間隔が再調整可能である少なくとも１つの損耗本体によって達成することができる。
【０１０１】
このように、損耗面のガイド平面からの間隔、したがってガイドされる金属ストリップからの間隔もまた、前記損耗面が前記主本体モジュールのガイド平面よりも金属ストリップに近い位置、すなわちガイド位置に再調整することができる。
【０１０２】
例えば、損耗本体又は損耗面はそれぞれ、ガイド位置に調整することができ、このガイド位置では、先頭のストリップの端部が側方ガイドのための装置を通過するとすぐに、損耗本体が専らストリップのガイドを担い、したがって、前記先頭のストリップの端部の角部が攻撃されるリスクはもはや無い。主本体モジュールの損耗は、したがってストリップの長さの大部分に足して大幅に軽減される。
【０１０３】
また別の実施形態によれば、この方法は、主本体モジュールによる、及び任意に損耗本体及び／又は損耗本体ガイドローラーによる金属ストリップの少なくとも１方の側面上での第１の側方ガイド段階の後、引き続く第２の側方ガイド段階において、金属ストリップの少なくとも１方の側面上での側方ガイドが以下の態様：
‐損耗本体ガイドローラーによってのみによって
‐損耗本体及び損耗本体ガイドローラーによって
のうちの１つで行われる。
【０１０４】
この場合、金属ストリップを側方ガイドするための装置もまた、少なくとも１つの損耗本体ガイドローラーを備える。
【０１０５】
損耗本体ガイドローラーのみによる第２の側方ガイド段階における側方ガイドの場合には、ここでは１つの損耗本体ガイドローラー又は複数の損耗本体ガイドローラーが、側方でガイドすることができる。
【０１０６】
損耗本体及び損耗本体ガイドローラーによる第２の側方ガイド段階における側方ガイドの場合には、ここでは１つの損耗本体又は複数の損耗本体ガイドローラーと、１つの損耗本体ガイドローラー又は複数の損耗本体ガイドローラーとが、側方でガイドすることができる。
【０１０７】
好ましくは、第１の側ガイド段階の後に、少なくとも１つの損耗本体及び／又は少なくとも１つの主本体モジュールが、損耗本体の損耗面がガイド平面の外側にある所定の位置に再調整される。例えば、第１の側方ガイド段階中のその損耗面を、ガイドされる金属ストリップの方向にさらに動かすことができる。又は、ガイドモジュールは、ガイドされる金属ストリップから離れる方向にさらに動かすことができ、それによって、その最初の位置に残る損耗本体は、ガイドモジュールよりも金属ストリップに近く配置される。
【０１０８】
ここで第２の側方ガイド段階では、金属ストリップの側方ガイドは、少なくとも１つの損耗本体ガイドローラーによって行われる。前述したように、ガイド機能が損耗本体ガイドローラーによって担われることがときには有利である。
【０１０９】
複数の損耗本体によって前記金属ストリップの少なくとも１つの側に行われ、前記第２の側方ガイド段階中に、少なくとも１つの損耗本体が、前記損耗本体の前記損耗面と、前記金属ストリップとの間の接触を失いつつ、前記金属ストリップから再調整されて離れ、前記損耗本体は次いで、制御された態様で回転軸の回りに回転して規定の新しい回転位置へ回転し、前記損耗本体は次いで、前記損耗本体の前記損耗面と、前記金属ストリップとの間の接触を復帰しつつ、前記金属ストリップに向かって再調整される
【０１１０】
この理由によって、ストリップが流れている間に使用されている（ｐｒｅｖａｉｌｉｎｇ）ガイド機能の強化に対する損耗に関する要求に反応できることが可能になる。ストリップが流れている間は、損耗した損耗本体を、まだ損耗していない損耗本体の損耗面の領域が金属ストリップに露出する位置に回転することができる。
【０１１１】
１つの好ましい実施形態によれば、側方ガイドの態様は、損耗本体による滑動ガイドと、ローラーによるローリングガイドと、の間で切り替わる。ローラーは、損耗本体ガイドローラー又はガイドのための他のローラーとすることができる。
【０１１２】
１つの変形体によれば、金属ストリップの側方ガイド中に、側方ガイドの態様は、滑動ガイドと回転ガイドとの間で切り替わる。ここで一つのステップは、損耗本体を新しい規定された回転位置に回転するか、又は移動するか、折り畳む又は伸ばす、若しくは損耗ガイドローラー或いはガイドのための他のローラーを枢動させることができる
【０１１３】
好ましい一実施形態によれば、側方ガイドの態様は損耗本体による滑動ガイド及びローラーによる回転ガイドの両方を備える。ローラーは、損耗本体ガイドローラー又は他のガイドのための他のローラーとすることができる。
【０１１４】
本発明による装置及び方法は、既存の装置との比較において大幅に保守作業を軽減させることを可能にする。損耗本体の損耗面のまだ損耗していない領域の金属ストリップへの複数の露出によって、損耗本体が既存の損耗ストリップよりも少ない交換頻度しか必要としないので、損耗した部品を取り換える一次的な作業は削減される。交換は、他の保守停止時間の間に行うことができる。このように、損耗面のための短い保守間隔の結果として、生産量低減を回避することができる。また、損耗本体が簡単かつ廉価な態様で作られるので、損耗本体を交換するためのコストに関する努力もまた最小化される。
【０１１５】
本発明が、例示の態様で複数の図面の手段によって以下に記載される。
【図面の簡単な説明】
【０１１６】
【図１】ローラーテーブル上を流れる金属ストリップを側方でガイドするための従来の装置を示す図である。
【図２】ローラーテーブル上を流れる金属ストリップを側方でガイドするための既知の装置のランインルーラの損耗ストリップの一部を示す図である。
【図３】ローラーテーブル上を流れる金属ストリップを側方でガイドするための、本発明による装置の一部分を示す図である。
【図４】図３の示す装置の断面図である。
【図５】主本体モジュールの隙間に配置された、本発明による装置のための損耗本体を示す図である。
【図６】図５の断面Ｂ‐Ｂに沿った図である。
【図７】停止位置にある損耗本体ガイドローラーを有する、本発明による装置の図である。
【図８】図７の断面Ａ‐Ａに沿った図である。
【図９】ガイド位置にある損耗本体ガイドローラーを有する、本発明による装置の図である。
【図１０】図９の断面Ｃ‐Ｃに沿った図である。
【図１１】ガイド面からの間隔に関して再調整された損耗面を有する、図６に非常に類似した図である。
【図１２】損耗本体の損耗面の開口部を示す図である。
【図１３】損耗本体の損耗面の隙間を示す図である。
【図１４】損耗本体の実施形態を示す図である。
【図１５】損耗本体の実施形態を示す図である。
【図１６】損耗本体の実施形態を示す図である。
【図１７】損耗本体の実施形態を示す図である。
【図１８】損耗本体の実施形態を示す図である。
【図１９】損耗本体の実施形態を示す図である。
【図２０】損耗本体の実施形態を示す図である。
【発明を実施するための形態】
【実施例】
【０１１７】
図１は、ローラーテーブル上を流れる金属ストリップ２を側方でガイドするための従来の装置１を示す。金属ストリップ２は、巻き取りプラントの駆動装置３の方向に、矢印の方向に流れる。前記金属ストリップは、ランインルーラ４ａ、４ｂによって側方でガイドされる。
【０１１８】
図２は、図１の既知の装置１のランインルーラ４ａ又は４ｂの損耗ストリップ５の一部を示す。金属ストリップは、ガイド面６によってガイドされる。ここで損耗ストリップは損耗し、交換されることを必要とする。
【０１１９】
図３は、金属ストリップ搬送装置としてのローラーテーブル上を流れる金属ストリップを側方でガイドするための、本発明による装置の一部分を示す。装置のうち、実質的に鉛直なガイド平面１０を有する損耗プレート９を担持する支持本体８からなる主本体モジュール７が示されている。また、図示されているのはローラーテーブルのローラー１１ａ、１１ｂ、１１ｃ、１１ｄである。その損耗面１２ａが図中においてガイド平面１０と同じ面にある損耗本体１２もまた図示されている。損耗本体１２は、制御された態様で複数の規定された回転位置へと回転可能である。損耗面１２ａは実質的に平面であり、すべての規定された回転位置においてガイド平面１０に平行である。損耗本体１２は円形のディスクであり、そのベース領域は損耗本体の損耗面を形成する。損耗本体１２は、損耗プレート９の大部分が円い隙間の中に配置され、損耗プレート９が損耗本体１２を完全に取り囲むわけではないので、オープンスペースは完全に丸いわけではないが、損耗本体１２を備える部分は円の一部である。
【０１２０】
ベース領域と損耗本体１２の丸いディスクの側面との間の面取りされた面があることもまた見てとることができ、この面取り面は、面取り面の無い損耗本体と比較すると、金属ストリップが周上の側面とベース領域との間で攻撃されるのを避けるのに役立つ。
【０１２１】
図３に類似し、別には図示されていない例において、損耗本体は、ガイド平面に対して垂直な回転軸の回りに枢動可能である。この回転軸は、丸いディスクの中央にある。回転軸は、ローラーテーブルのローラーの回転軸間にあるように、中心の上に配置されている。
【０１２２】
図４は図３におけるのと同様に断面図を示す。支持本体８からなる主本体モジュール７及び、断面図ではガイド平面１０を有する損耗プレート９が示されている。損耗本体１２は、再調整装置、ここでは回転式再調整モジュール１３に固定されており、回転式再調整モジュール１３は主本体モジュール７内に固定されている。損耗本体１２は、回転式再調整モジュール１３によって、制御された態様で複数の規定された回転位置へ回転することができる。さらに、回転式再調整モジュール１３によって、損耗面１２ａの主本体モジュール７のガイド平面１０からの間隔は再調整することができ、損耗本体１２はガイド平面１０から出るように移動し、かつガイド平面１０内へ戻るように移動し、このことは別には図示されていない。
【０１２３】
図５は損耗本体１５ａ、１５ｂ、１５ｃ、１５ｄを示し、これら損耗本体は、主本体モジュール１４の大部分が円い隙間内に配置されている。ローラーテーブルのローラー１６ａ、１６ｂ、１６ｃが同様に図示されている。損耗本体１５ａ、１５ｂ、１５ｃ、１５ｄは丸いディスクであり、そのベース領域は、損耗本体１５ａ、１５ｂ、１５ｃ、１５ｄの損耗面１７ａ、１７ｂ、１７ｃ、１７ｄを形成する。損耗本体１５ａ、１５ｂ、１５ｃ、１５ｄは制御された態様で複数の回転位置へ回転可能であり、実質的に平面の損耗面は、すべての規定された回転位置においてガイド平面１９に平行である。ここでは鋼ストリップである金属ストリップ１８は、ガイド平面１９及び損耗本体１５ａ、１５ｂ、１５ｃ、１５ｄによってガイドされ、損耗本体１５ａ、１５ｂ、１５ｃ、１５ｄの損耗面１７ａ、１７ｂ、１７ｃ、１７ｄは、ガイド平面１９内にある。これもまた図示されているのは、損耗本体１５ｂのための損耗トラック２０ａ、２０ｂ、２０ｃであって、損耗本体が制御された態様で様々な規定された位置へ繰り返し回転された後に、既に金属ストリップによって損耗本体１５ｂの中に刻まれている（ｃａｒｖｅｄ）。
【０１２４】
図６は図５のＢ‐Ｂ部分に沿った、損耗本体１５ｃの方向における断面図であり、ガイド平面１９は別には図示されていない。
【０１２５】
図７は図５の装置に大部分が類似する、損耗本体２１ａ、２１ｂ、２１ｃ、２１ｄを有する装置を示している。ここでは、損耗本体ガイドローラー２２ａ、２２ｂ、２２ｃ、２２ｄであり、これらは少なくとも１つの停止位置と、１つのガイド位置と、に調整可能である。図７における前記損耗本体ガイドローラーは停止位置に示されている。金属ストリップ２３、ここでは鋼ストリップは、ガイド平面２４と損耗本体２１ａ、２１ｂ、２１ｃ、２１ｄとによってガイドされ、損耗本体２１ａ、２１ｂ、２１ｃ、２１ｄの損耗面は、ガイド平面２４内にある。
【０１２６】
図８は、図７の損耗本体２１ｃの方向への、Ａ−Ａに沿った断面図を示し、ガイド平面２４は別には示されていない。
【０１２７】
図９は、図７に非常に類似した図であり、図７において記載された部品に対する参照符号は明瞭化の理由で記載されていない。図示されているのは、ガイド位置にある図７の損耗本体ガイドローラー２２ａ、２２ｂ、２２ｃ、２２ｄである。金属ストリップ２３は、損耗本体ガイドローラー２２ａ、２２ｂ、２２ｃ、２２ｄによってガイドされる。
【０１２８】
図１０は、損耗本体ガイドローラー２２ｃの方向における図９のＣ−Ｃに沿った断面図を示し、ガイド平面は、別には図示されていない。
【０１２９】
図７〜図１０における損耗本体ガイドローラー２２ａ、２２ｂ、２２ｃ、２２ｄのローラー面は、損耗面から金属ストリップの方向に見たときに、停止位置及びガイド位置の両方において損耗面から突出している。前記ローラー面は、損耗本体２１ａ、２１ｂ、２１ｃ、２１ｄそれぞれの損耗面の開口部を通じてガイドされ、この損耗面から突出する。
【０１３０】
損耗本体２１ａ、２１ｂ、２１ｃ、２１ｄを枢動させることによって、損耗面の開口部の位置は図７と図９との間で変化する。これら開口部から突出している損耗本体ガイドローラー２２ａ、２２ｂ、２２ｃ、２２ｄは、したがって再配置され、損耗本体２１ａ、２１ｂ、２１ｃ、２１ｄの枢動の後、これら開口部から突出する。損耗面の開口部のガイド位置への調整はそれに応じて行われる。
【０１３１】
例えば、損耗本体ガイドローラー２２ａ、２２ｂ、２２ｃ、２２ｄは、それぞれの場合に、図４における参照符号１３で示されているような回転式再調整モジュールに固定することができ、この回転式再調整モジュールによって回転可能かつ再調整可能とされる、すなわちさまざまな位置に調節可能である。前記損耗本体ガイドローラーもまた損耗本体に、又は主本体モジュールに固定することができる。
【０１３２】
図１１は、図６に非常に類似した図を示す。図６に加えて、参照符号２５を有するガイド平面の一部もまた図示されている。実線の境界を有する損耗本体１５ｃは、その損耗面１７ｃがガイド平面２５と同じ平面にある位置で図示されている。破線の境界を有する前記損耗本体１５ｃは、その損耗面のガイド平面からの間隔が再調整された、ここでは増加した位置で図示されており、損耗本体は、ガイド平面に垂直な移動によって、ここでは詳細には示されていない再調整装置の手段によってガイド平面から外へ押し出される。
【０１３３】
図１２及び１３は、損耗本体の損耗面の隙間と、損耗本体の損耗面の開口部と、の間の違いを示している。
【０１３４】
損耗面の開口部は、損耗面２８の穴２７を意味するとして理解され、この穴２７は、図１２に示すように、損耗面２８によって完全に取り囲まれている。対照的に、破線の境界を有する図１３は損耗面３０の隙間２９を示しており、隙間２９は損耗面３０によって完全には取り囲まれていない。
【０１３５】
図１４は、損耗していない状態にある損耗本体３０の一実施形態の一部分を示す。損耗本体３０は平面状の損耗面３１を有する丸いディスクである。損耗本体は、周縁部３２に面取りを施されている。
【０１３６】
図１５は、損耗していない状態にある損耗本体３３の一実施形態の一部分を示す。損耗本体３３は実質的に平面状の損耗面３４を有する丸いディスクである。金属ストリップをガイドするためのガイド形状として損耗面３４に始めから存在するガイドスプライン３５が図示されている。損耗本体は、周縁部３６に面取りを施されている。
【０１３７】
図１６は図１５による損耗本体３３を、損耗面３４上への側面図に示している。複数のガイドスプライン３５が見られる。
【０１３８】
図１７は、損耗していない状態にある損耗本体３６の一実施形態の一部分を示す。作動中にガイドスプラインを構成するための外側の比較的柔軟な層３８が支持材料３７上に存在する。深い切り込み線を妨げる比較的硬い層３９が、この外層３８と支持材料３７との間に存在する。
【０１３９】
これら２つの表面コーティング、すなわち層３８及び層３９が、損耗本体３６の両側に、対称となるように取り付けられ、それによって一方の側上の損耗後の損耗本体３６を、単に裏返し、したがって他方の同一に規定された側が金属ストリップに面するように回転されて、損耗する。
【０１４０】
図１８は、損耗本体４０上への側面図を示す。損耗本体４０の損耗面４１は、その周縁に延びる。複数の相互に離間した個々の損耗本体４２の面４３からの上昇部が、ガイド上昇部４２として損耗面４１の外側に存在しており、損耗本体４２の面４３は、損耗面４１と同じ平面内にある。
【０１４１】
図１９は、図１８の損耗本体４０を通じた線Ａ‐Ａに沿った断面の一部分を示す。ガイド上昇部４２の形状（ｐｒｏｆｉｌｅ）を見ることができる。ガイド上昇部４４が、丸いディスクとして構成された損耗本体４０の他方の側に同様に存在していることを同様に見ることができる。
【０１４２】
図２０は、損耗面４６の平面に関連する上昇部４７が、損耗面４６の周縁部に損耗面４６の近傍にあるように存在する態様に具現化された損耗本体４５の一部分を示し、この上昇部４７は、損耗面４６のこの周縁全体に存在する。ここでのこの上昇部は、その高さが損耗面の周縁からの間隔が増加するにつれて増加する、すなわちいわゆるランアップスロープ（ｒｕｎ−ｕｐ  ｓｌｏｐｅ）４８が構成されるように、具現化されている。
【０１４３】
このランアップスロープ４８、並びに図１８及び１９からのガイド上昇部４２及び４４もまた、作動中には金属ストリップのための側方空間を収縮させる。この収縮は、金属ストリップののぼりに対する抵抗を形成する。
【０１４４】
本発明が、好ましい例示の実施形態によってより詳細に図示され、記載されてきたが、本発明は、開示された例によって限定されるものではなく、他の変形体が、本発明の技術的範囲から逸脱することなく当業者によって想到され得る。
【符号の説明】
【０１４５】
１      ローラーテーブル上を流れる金属ストリップを側方にガイドするための装置
２      金属ストリップ
３      駆動装置
４ａ、４ｂ      ランインルーラ
５      損耗ストリップ
６      ガイド平面
７      主本体モジュール
８      支持本体
９      損耗プレート
１０      ガイド平面
１１ａ、１１ｂ、１１ｃ、１１ｄ      ローラーテーブルローラー
１２      損耗本体
１２ａ      損耗面
１３      回転再調整モジュール
１４      主本体モジュール
１５ａ、１５ｂ、１５ｃ、１５ｄ      損耗本体
１６ａ、１６ｂ、１６ｃ      ローラーテーブルローラー
１７ａ、１７ｂ、１７ｃ、１７ｄ      損耗面
１８      金属ストリップ
１９      ガイド平面
２０ａ、２０ｂ、２０ｃ      損耗トラック
２１ａ、２１ｂ、２１ｃ、２１ｄ      損耗本体
２２ａ、２２ｂ、２２ｃ、２２ｄ      損耗本体ガイドローラー
２３      金属ストリップ
２４      ガイド平面
２５      ガイド平面
２６      ガイド平面
２７      穴
２８      損耗面
２９      隙間
３０      損耗面
３１      損耗面
３２      周縁部
３３      損耗本体
３４      損耗面
３５      ガイドスプライン
３６      周縁部
３７      支持材料
３８      層
３９      層
４０      損耗本体
４１      損耗面
４２      ガイド上昇部
４３      面
４４      ガイド上昇部
４５      損耗本体
４６      損耗面
４７      上昇部
４８      ランアップスロープ
【図１】
2018089701.tif 000003
【図２】
2018089701.tif 000004
【図３】
2018089701.tif 000005
【図４】
2018089701.tif 000006
【図５】
2018089701.tif 000007
【図６】
2018089701.tif 000008
【図７】
2018089701.tif 000009
【図８】
2018089701.tif 000010
【図９】
2018089701.tif 000011
【図１０】
2018089701.tif 000012
【図１１】
2018089701.tif 000013
【図１２】
2018089701.tif 000014
【図１３】
2018089701.tif 000015
【図１４】
2018089701.tif 000016
【図１５】
2018089701.tif 000017
【図１６】
2018089701.tif 000018
【図１７】
2018089701.tif 000019
【図１８】
2018089701.tif 000020
【図１９】
2018089701.tif 000021
【図２０】
2018089701.tif 000022
【外国語明細書】
2018089701000001.pdf